【手続補正書】
【提出日】平成17年6月10日(2005.6.10)
【手続補正１】
【補正対象書類名】特許請求の範囲
【補正対象項目名】全文
【補正方法】変更
【補正の内容】
【特許請求の範囲】
【請求項１】
コンピューティング装置の表示機能を表す１組の表示特性を有するコンピューティング
装置に表示されるように図形情報を修正する方法において、
図形情報の特性を１組の表示特性に適合させる方式を決定するステップと、
１組の表示特性に適応した形式で図形情報を提供するために、前記方式に従い図形情報
の特性を１組の表示特性と調和させるステップと
を含む方法であって、前記方式を決定するステップが
１組の表示特性に基づいてコンピューティング装置に対する１組の図形表示制約を決定し、
図形情報の特性を前記１組の図形表示制約に適合させる１組の操作を決定し、
前記１組の操作の各操作を所定の順番で図形情報に適用するよう前記方式を構築する
ことを含む方法。
【請求項２】
決定するステップの前に、
図形情報の修正を求める要求であって、コンピューティング装置の１組の表示特性の指
示を含む要求を受信するステップと、
前記要求に従って図形情報を入手するステップと
をさらに含む請求項１に記載の方法。
【請求項３】
図形情報の特性を調和させる前に図形情報を第１の形式に変換するステップをさらに含
む請求項１に記載の方法。
【請求項４】
図形情報の抽象表現を、前記抽象表現の作成を容易にするのに適した第１の形式で作成
するステップをさらに含む請求項３に記載の方法。
【請求項５】
決定するステップが、前記抽象表現を使用して図形情報の特性を決定するステップを含
む請求項４に記載の方法。
【請求項６】
前記方式により前記１組の操作の各操作を前記抽象表現に適用し、調和させるステップが、１組の表示特性に適応した形式で図形情報を提供するために、前記１組の操作の各操作を前記所定の順番で前記抽象表現に適用することによって前記方式を図形情報に適用するステップを含む請求項５に記載の方法。
【請求項７】
調和させるステップが、１組の表示特性に適応した形式で図形情報を提供するために、前記１組の操作の各操作を前記所定の順番で図形情報に適用することによって前記方式を図形情報に適用するステップを含む請求項１に記載の方法。
【請求項８】
１組の表示特性に適応した形式の図形情報を、それを表示するためのコンピューティン
グ装置に提供するステップをさらに含む請求項１に記載の方法。
【請求項９】
表示するためのコンピューティング装置に解釈可能な形式で図形情報を提供するために
、１組の表示特性に適応した形式で図形情報を解釈するステップをさらに含み、１組の表
示特性に適応した形式がコンピューティング装置のタイプと独立している請求項１に記載
の方法。
【請求項１０】
図形情報がコンピューティング装置に提供される速度と、コンピューティング装置が図
形情報を表示する速度とを最適化するように前記方式を決定することができる請求項１に
記載の方法。
【請求項１１】
コンピューティング装置の表示機能を表す１組の表示特性を有するコンピューティング
装置に表示されるように図形情報を修正するためのシステムにおいて、
図形情報の特性を１組の表示特性に適合させる方式を決定するために、１組の表示特性
と図形情報の特性を評価するための適合機構と、
前記方式に従い図形情報の特性を１組の表示特性に調和させるための図形修正機構と、
１組の表示特性に適応した形式で図形情報を提供するように図形情報の修正を調整するためのコントローラとを含むシステムであって、前記適合機構が
１組の表示特性に基づいてコンピューティング装置に対する１組の図形表示制約を決定
し、図形情報の特性を前記１組の制約に適合させる１組の操作を決定するための特性解釈
機構と、
前記１組の操作の各操作を所定の順番で前記抽象表現に適用するように前記方式を構築
するための制御機構と
を含むシステム。
【請求項１２】
図形情報の修正を求める要求であって、コンピューティング装置の１組の表示特性の指
示を含む要求を受信し、それに応じて図形情報を入手するための図形入手機構をさらに含
む請求項１１に記載のシステム。
【請求項１３】
前記要求から１組の表示特性を入手するための要求解析機構をさらに含む請求項１２に
記載のシステム。
【請求項１４】
図形情報を第１の形式に変換するための形式変換機構をさらに含む請求項１１に記載の
システム。
【請求項１５】
図形情報の抽象表現を作成するための図形抽象機構をさらに含み、前記第１の形式は前
記抽象表現の作成を容易にするのに適している請求項１４に記載のシステム。
【請求項１６】
前記方式により前記１組の操作の各操作を前記抽象表現に適用し、
前記図形調和機構が、１組の表示特性に適応した形式で図形情報を提供するために、前記１組の操作の各操作を前記所定の順番で前記抽象表現に適用することによって前記方式を図形情報に適用するための操作機構を含む請求項１５に記載のシステム。
【請求項１７】
前記図形調和機構が、１組の表示特性に適応した形式で図形情報を提供するために、前
記１組の操作の各操作を前記所定の順番で図形情報に適用することによって前記方式を図
形情報に適用するための操作機構を含む請求項１１に記載のシステム。
【請求項１８】
一組の表示特性に適応した形式で調和された図形情報を、それを表示するためのコンピ
ューティング装置に提供するための通信モジュールをさらに含む請求項１１に記載のシス
テム。
【請求項１９】
コンピューティング装置が、図形情報を表示するためのコンピューティング装置に解釈
可能な形式で図形情報を提供するために、１組の表示特性に適応した形式で図形情報を解
釈するための図形解釈機構をさらに含み、表示用に適応させた形式がコンピューティング
装置のタイプと独立している請求項１１に記載のシステム。
【請求項２０】
図形情報がコンピューティング装置に提供される速度と、コンピューティング装置が図
形情報を表示する速度とを最適化するように前記方式を決定することができる請求項１１
に記載のシステム。
【請求項２１】
コンピューティング装置の表示機能を表す１組の表示特性を有するコンピューティング
装置に表示されるように図形情報を修正するためのコンピュータ実行可能命令を記憶して
いるコンピュータ可読媒体において、前記コンピュータ実行可能命令が、
図形情報の特性を１組の表示特性に適合させる方式を決定するステップと
１組の表示特性に適応した形式で図形情報を提供するために前記方式に従い図形情報の
特性を１組の表示特性と調和させるステップと
を含むコンピュータ可読媒体であって、前記方式を決定するステップが
１組の表示特性に基づいてコンピューティング装置に対する１組の図形表示制約を決定
し、
図形情報の特性を前記１組の図形表示制約に適合させる１組の操作を決定し、
前記１組の操作の各操作を所定の順番で前記図形情報に適用するように前記方式を構築
する
ことを含むコンピュータ可読媒体。
【請求項２２】
決定するステップの前に、
図形情報の修正を求める要求であって、コンピューティング装置の１組の表示特性の指
示を含む要求を受信するステップと、
前記要求に応じて図形情報を入手するステップと
をさらに含むコンピュータ実行可能命令を記憶している請求項２１に記載のコンピュータ可読媒体。
【請求項２３】
図形情報の特性を調和させる前に図形情報を第１の形式に変換するステップをさらに含むコンピュータ実行可能命令を記憶している請求項２１に記載のコンピュータ可読媒体。
【請求項２４】
抽象表現の作成を容易にするのに適した第１の形式で図形情報の抽象表現を作成するス
テップをさらに含むコンピュータ実行可能命令を記憶している請求項２３に記載のコンピュータ可読媒体。
【請求項２５】
決定するステップが、前記抽象表現を使用して図形情報の特性を決定するステップを含むコンピュータ実行可能命令を記憶している請求項２４に記載のコンピュータ可読媒体。
【請求項２６】
前記方式により前記１組の各操作を前記抽象表現に適用し、調和させるステップが、１組の表示特性に適応した形式で図形情報を提供するために、前記所定の順番で前記１組の操作の各操作を前記抽象表現に適用することによって前記方式を図形情報に適用することを含むコンピュータ実行可能命令を記憶している請求項２５に記載のコンピュータ可読媒体。
【請求項２７】
調和させるステップが、１組の表示特性に適応させて図形情報を提供するために、前記
１組の操作の各操作を前記所定の順番で図形情報に適用することによって前記方式を図形
情報に適用するステップを含むコンピュータ実行可能命令を記憶している請求項２１に記載のコンピュータ可読媒体。
【請求項２８】
１組の表示特性に適応した形式の図形情報を、それを表示するためのコンピューティン
グ装置に提供するステップをさらに含むコンピュータ実行可能命令を記憶している請求項２１に記載のコンピュータ可読媒体。
【請求項２９】
表示するためのコンピューティング装置に解釈可能な形式で図形情報を提供するために
、コンピューティング装置で１組の表示特性に適応した形式で図形情報を解釈するステッ
プをコンピュータ実行可能命令がさらに含み、１組の表示特性に適応した形式がコンピューティング装置のタイプと独立しているコンピュータ実行可能命令を記憶している請求項２１に記載のコンピュータ可読媒体。
【請求項３０】
図形情報がコンピューティング装置に提供される速度と、コンピューティング装置が図
形情報を表示する速度とを最適化するように前記方式を決定することができるコンピュータ実行可能命令を記憶している請求項２１に記載のコンピュータ可読媒体。